(57)【特許請求の範囲】
【請求項１】
モータを収容する胴体部と、
前記胴体部に接続され作業者によって把持されるハンドルと、
前記ハンドルの下方と前記胴体部とを繋ぐ連結部とを有する外枠であるハウジングと、
前記ハンドルの下方に着脱可能に設けられた電池パックと、
前記電池パックの残存容量を表示する表示部と、を備えた携帯用工具において
前記胴体部と、前記ハンドルと前記連結部とを接続することにより、前記胴体部、前記ハンドル部及び前記連結部により囲まれた空間を形成し、
前記連結部の該囲まれた空間に面した位置に前記表示部を配置すると共に、
前記表示部は、前記電池パックの上方の位置であって、前記電池パックに近接した前記連結部の表面から凹んだ位置に、上方を向くように配置され、
前記表示部は、前記電池パックの残存容量が所定値より低下したことを点滅により表示する少なくとも１つの光源を有することを特徴とする携帯用工具。
【発明の詳細な説明】
【技術分野】
【０００１】
本発明は、例えば電池パックの残存容量やモータの駆動情報等を表示する表示装置付き携帯用工具に関するものである。
【背景技術】
【０００２】
携帯用工具における電気状態或いは駆動情報等を表示する表示装置付き携帯用工具は、市場において販売され、使用されている。この先行技術に係る携帯用工具においては、電池パックのケース或いは外枠を構成するハウジングを利用して表示装置を配置する構成を採用している。（例えば、特許文献１参照）
【特許文献１】特許３４３８９２３号
【発明の開示】
【発明が解決しようとする課題】
【０００３】
従来の表示装置付き携帯用工具は、使用中に相手材に接触することにより表示部が破損し易いという問題があった。また、表示部を電池パックのケースやハウジングに配置した場合、電池パックやハウジングが大形化するため、操作性が悪くなるという問題があった。また、電池パックを電源とする表示装置付き携帯用工具は、表示部への常時通電が電池を消耗させ、作業時間が短縮化するという問題があった。
【０００４】
本発明の課題は、上記の欠点を解消し、携帯用工具における電気状態或いは駆動情報等を表示する表示部が壊れにくい、長寿命な携帯用工具を提供することである。
【課題を解決するための手段】
【０００５】
上記課題を達成するため、本発明は、モータを収容する胴体部と、前記胴体部に接続され作業者によって把持されるハンドルと、前記ハンドルの下方と前記胴体部とを繋ぐ連結部とを有する外枠であるハウジングと、前記ハンドルの下方に着脱可能に設けられた電池パックと、前記電池パックの残存容量を表示する表示部と、を備えた携帯用工具において前記胴体部と、前記ハンドルと前記連結部とを接続することにより、前記胴体部、前記ハンドル部及び前記連結部により囲まれた空間を形成し、前記連結部の該囲まれた空間に面した位置に前記表示部を配置する前記表示部を配置すると共に、前記表示部は、前記電池パックの上方の位置であって、前記電池パックに近接した前記連結部の表面から凹んだ位置に、上方を向くように配置され、前記表示部は、前記電池パックの残存容量が所定値より低下したことを点滅により表示する少なくとも１つの光源を有することに一つの特徴を有する。
【０００６】
本発明が適用される携帯用工具としては、ハンマドリル、スクリュードライバ、丸のこ、カッタ、ジグソー、レシプロソー、サンダー、かんな、植木バリカンといった電動工具や、釘打機、ねじ打機といった空気工具を広く含むものとする。なお、本明細書において「電気状態又は駆動情報を表示する」とは、電池パックの残存容量又はモータに電流を供給するブラシの寿命又は先端工具に与えられる動作状態を表示する態様が該当するが、電源入力の状態を表示する態様等、その他の表示を好適に含む。本発明の構成によれば、表示部を胴体部とハンドルと連結部によってほぼ閉じた空間を形成する面上に配置することで、携帯用工具を使用中に当該表示部が相手材に接触して破損することを防ぐことができる。
【０００７】
また、表示部を胴体部に配置する構成は、ハウジングが大形化し、操作性が悪くなるという問題があるが、本発明よれば、表示部を内部に比較的余裕のあるハンドルと胴体部との連結部に配置することで、ハウジングの大形化を抑え、操作性を保つことが可能となる。
【０００８】
また、電池パックの残存容量の表示部を電池セル収納ケースに配置する構成は、ケースが大形化し、携帯用工具の操作性が悪くなるという問題があるが、本発明よれば、表示部を胴体部とハンドルと連結部によってほぼ閉じた空間を形成する面上に配置することで、ケースの大形化を抑え、操作性を保つことが可能となる。
【０００９】
更に本発明は、例えば、１個のＬＥＤ等の光源が通電時には点灯する、或いは電池パックの残存容量やブラシの寿命が充分にあるときは点灯し、それらが少なくなると点滅するようにすれば、最少の構成で携帯用工具の電気状態又は駆動情報を表示することができ、製造コストを抑えることが可能となる。
【００１０】
本発明の実施形態によれば、携帯用工具における表示部は、少なくとも１対の光源とスイッチを有し、前記スイッチをオンにすることにより、電気状態又は駆動情報を前記光源の点灯又は点滅によって表示する構成とされる。例えば、電池パックを電源とする携帯用工具については、表示部への常時通電が電池を消耗させ、作業時間が短縮化するという問題があるが、本発明の実施形態によれば、通常は表示部へは通電されず、スイッチをオンにしたときだけ通電され、携帯用工具の電気状態又は駆動情報が表示されるため、電池の消耗による作業時間の短縮化を抑えることが可能となる。
【００１１】
また本発明の実施形態によれば、携帯用工具における表示部は、少なくとも１個の液晶表示器を有し、電気状態又は駆動情報を前記液晶表示器に表示する構成とされる。例えば、１個の液晶表示器に通電状態或いはブラシの寿命や電池パックの残存容量を文字や図形等で表示するようにすれば、製造コストを抑えた最少の構成で、より分かり易く携帯用工具の電気状態又は駆動情報を表示することが可能となる。
【００１２】
本発明の実施形態によれば、携帯用工具における表示部は、少なくとも１対の液晶表示器とスイッチを有し、前記スイッチを接続することにより、電気状態又は駆動情報を前記液晶表示器に表示する構成とされる。本発明の実施形態によれば、通常は液晶表示器へは通電されず、スイッチをオンにしたときだけ通電され、携帯用工具の電気状態又は駆動情報がより分かり易く文字や図形等で表示されるため、電池の消耗による作業時間の短縮化を抑えることが可能となる。
【００１３】
本発明の実施形態によれば、携帯用工具における表示部は、少なくとも１対の液晶表示器とスイッチを有し、前記スイッチを操作することにより、前記液晶表示器に表示される電気状態又は駆動情報を切り替える構成とされる。本発明の実施形態によれば、１個の液晶表示器に複数種類の電気状態又は駆動情報を表示することができるため、携帯用工具の大形化を抑え且つ製造コストを抑えることが可能となる。
【００１４】
本発明の実施形態によれば、携帯用工具におけるスイッチは、前記液晶表示器に設けられた感圧式スイッチである構成とされる。本発明の実施形態によれば、液晶表示器の他にスイッチを設ける必要がないため、製造コストを抑えることが可能となる。また、携帯用工具におけるスイッチは、電気状態又は駆動状態の切替スイッチを兼ねる構成とすることもできる。この場合には、前記表示部の他に切替スイッチを設ける必要がないため、携帯用工具の大形化を抑え且つ製造コストを抑えることが可能となる。
【発明の効果】
【００１５】
本発明によれば、携帯用工具における電気状態或いは駆動情報等を表示する表示装置が壊れにくい、長寿命な携帯用工具を提供することができる。
【発明を実施するための最良の形態】
【００１６】
以下、本発明の実施の形態につき、図１〜図１０に基づいて説明する。本実施の形態は、携帯用工具の一例としてコードレス丸のこを用いて説明する。
【００１７】
図１には本実施の形態に係るコードレス丸のこ１を前方から見た斜視図で示す。図２には本実施の形態に係るコードレス丸のこ１を左側面図で示す。図３には本実施の形態に係るコードレス丸のこ１を正面部分断面図で示す。図１及び図２及び図３において、コードレス丸のこ１は、外枠であるハウジング２から成りモータ９を収容する胴体部３と、モータ９の回転を伝達するギヤ１０と、ギヤ１０を介して回転駆動される出力軸１１と、出力軸１１に取付けられるノコ刃１２と、ハウジング２に取付けられ、ノコ刃１２外周のほぼ上側後方半分を覆う形状をしたギヤ１０を収納する外枠であるギヤカバ５と、ギヤカバ５に取付けられるか若しくは一体となったノコ刃１２外周のほぼ上側前方半分を覆う形状をした外枠であるソーカバ６と、ノコ刃１２外周のほぼ下側半分を覆う形状をしたノコ刃１２を保護するセーフティカバ７と、ギヤカバ５と連結され被切断材上を摺動可能な底面を持ち、ノコ刃１２を底面より下方向に突出可能な開口部を有するベース８と、スイッチ１３を収納するハンドル４と、ハンドル４下端に設けられた電池パック接続部１４と、電池パック接続部１４に接続された電池パック１５と、ハンドル４の下端とハウジング２とを繋ぐ連結部１６と、連結部１６のハンドル４と対向する面に設けられた表示部１７（斜線で示す）と、により構成されている。
【００１８】
図４には表示部１７の前後方向の断面を示す。図５には図２のＡから見た表示部１７を示す。図４及び図５において、表示部１７は、１個のスイッチ１７ｂと２個のＬＥＤ１７ｄを有する基盤１７ｇと、基盤１７ｇを裏面に取付けたホルダ１７ｆと、ホルダ１７ｆの表面に貼り付けられたパネルシート１７ａと、により構成されている。ホルダ１７ｆは、左右２つ割りのハウジング２の内側に設けられた溝１８に凸部１７ｇを差し込むように配置される。これにより、ねじ等を用いなくても表示部１７をハウジング２に固定できるため、組み立て工数が少なくてすむ。基盤１７ｈは、２本のケーブル１７ｉにより胴体部３内に設けられた制御部（図示せず）と接続される。表示部１７には、電池パック１５から制御部を経由して電流と残存容量情報が送られる。パネルシート１７ａは、透明若しくは半透明のポリエステルフィルム等からなり、ＬＥＤ１７ｄの真上の部分を除き、表面若しくは裏面全体に印刷が施されている。また、電池パック１５に収納された電池セル（図示せず）を示すイラストが、スイッチ１７ｂの真上とＬＥＤ１７ｄの周りに印刷されている。また、スイッチ１７ｂの真上の部分は、スイッチ１７ｂを押し易くするために高さ約０．６ｍｍの矩形の凸部が設けられている。
【００１９】
図１及び図２に示すように、表示部１７は連結部１６の上面に設けられているため、胴体部３とハンドル４によって相手材との接触から保護される態様が構成されている。また、図４に示すように、表示部１７は連結部１６の表面からわずかに凹んだ位置に配置されているため、相手材が連結部１６に接触した場合でも、相手材が直接表示部１７に接触し、破損する危険が少ない。
更に、駆動部を収納しない連結部１６は内部に比較的余裕があるため、ハウジング２を拡張することなく、表示部１７を収納することができる。
また、ＬＥＤ１７ｄは通常は通電されず、スイッチ１７ｂを押したときのみ電池パック１５から通電されて点灯する。ＬＥＤ１７ｄは、電池パック１５の残存容量が充分な場合は２個同時に点灯し、残存容量が不十分で電池パック１５に充電が必要な場合は、電池セルのイラストの下部に位置する１個のみ点灯する。このように、ＬＥＤ１７ｄを必要なときだけ点灯させて電池パック１５の充電時期を知ることができるため、電池パック１５の消耗による作業時間の短縮化を抑えることが可能となる。
【００２０】
図６には図２のＡから見た表示部１７の別の例を示す。図６において、表示部１７は、１個のスイッチ１７ｂと１個の液晶表示器１７ｅを有する。パネルシート１７ａは、透明若しくは半透明のポリエステルフィルム等からなり、液晶表示器１７ｅの真上の部分を除き、表面若しくは裏面全体に印刷が施されている。また、電池パック１５に収納された電池セル（図示せず）を示すイラストが、スイッチ１７ｂの真上に印刷されている。液晶表示器１７ｅは、電池セルを示す図を表示し、電池パック１５の残存容量を図の横棒の数によって表す。液晶表示器１７ｅは通常は通電されず、スイッチ１７ｂを押したときのみ電池パック１５から通電されて電池パック１５の残存容量を表示する。図の横棒は電池パック１５の残存容量が充分な場合は全て表示され、残存容量が減るに従って上から順に消えていく。そして、残り１個になると点滅を始め、電池パック１５の充電時期を知らせる。また、液晶表示器１７ｅには、電池パック１５の残存容量等を文字又は数字で表示しても良い。このように、液晶表示器１７ｅを必要なときだけ点灯させて電池パック１５の充電時期を事前に知ることができるため、より円滑な作業が可能になると共に電池パック１５の消耗による作業時間の短縮化を抑えることが可能となる。
【００２１】
図７及び図８には図２のＡから見た表示部１７の別の例を示す。図７及び図８において、表示部１７は、２個のスイッチ１７ｂ，１７ｃと１個の液晶表示器１７ｅを有する。パネルシート１７ａは、透明若しくは半透明のポリエステルフィルム等からなり、液晶表示器１７ｅの真上の部分を除き、表面若しくは裏面全体に印刷が施されている。また、電池パック１５に収納された電池セル（図示せず）を示すイラストが、スイッチ１７ｂの左側に印刷されている。また、胴体部３に収納され、モータ９に電流を供給するブラシ（図示せず）を示すイラストが、スイッチ１７ｃの左側に印刷されている。液晶表示器１７ｅは電池セルを示す図を表示し、電池パック１５の残存容量を図の横棒の数によって表す。液晶表示器１７ｅは通常は通電されず、スイッチ１７ｂを押したときのみ電池パック１５から通電されて電池パック１５の残存容量を表示する。図の横棒は電池パック１５の残存容量が充分な場合は全て表示され、残存容量が減るに従って上から順に消えていく。そして、残り１個になると点滅を始め、電池パック１５の充電時期を知らせる。更に、液晶表示器１７ｅはブラシを示す図を表示し、ブラシの寿命を図の横棒の数によって表す。液晶表示器１７ｅは通常は通電されず、スイッチ１７ｃを押したときのみ電池パック１５から通電されてブラシの寿命を表示する。図の横棒はブラシの寿命が充分な場合は全て表示され、寿命が減るに従って上から順に消えていく。そして、残り１個になると点滅を始め、ブラシの交換時期を知らせる。また、液晶表示器１７ｅには、電池パック１５の残存容量やブラシの寿命等を文字又は数字で表示しても良い。これにより、使用者は電池パック１５を必要以上に消耗させることなく、電池パック１５の充電時期とブラシの交換時期を事前に知ることができるため、より円滑な作業が可能になると共に電池パック１５の消耗による作業時間の短縮化を抑えることが可能となる。また、１個の液晶表示器に複数種類の電気状態又は駆動情報を表示することができるため、ハウジング２の大形化を抑え且つ製造コストを抑えることが可能となる。
【００２２】
図９及び図１０には図２のＡから見た表示部１７の別の例を示す。図９及び図１０において、表示部１７は、１個の液晶表示器１７ｅを有する。液晶表示器１７ｅには２個の感圧式スイッチ１７ｂ，１７ｃが設けられている。パネルシート１７ａは、透明若しくは半透明のポリエステルフィルム等からなり、液晶表示器１７ｅの真上の部分がくり抜かれた上、表面若しくは裏面全体に印刷が施されている。液晶表示器１７ｅは通常は通電されず、指で画面に触れると電池パック１５から通電されて画面左側に２個のスイッチ１７ｂ、１７ｃを表示する。このとき、スイッチ１７ｂ上には電池セルを示す図が表示され、スイッチ１７ｃ上にはブラシを示す図が表示される。更に、画面上のスイッチ１７ｂを押すと、画面右側に電池パック１５に収納された電池セル（図示せず）を示す図を表示し、電池パック１５の残存容量を図の横棒の数によって表す。図の横棒は電池パック１５の残存容量が充分な場合は全て表示され、残存容量が減るに従って上から順に消えていく。そして、残り１個になると点滅を始め、電池パック１５の充電時期を知らせる。また、画面上のスイッチ１７ｃを押すと、胴体部３に収納され、モータ９に電流を供給するブラシ（図示せず）を示す図を表示し、ブラシの寿命を図の横棒の数によって表す。図の横棒はブラシの寿命が充分な場合は全て表示され、寿命が減るに従って上から順に消えていく。そして、残り１個になると点滅を始め、ブラシの交換時期を知らせる。また、液晶表示器１７ｅには、電池パック１５の残存容量やブラシの寿命等を文字又は数字で表示しても良い。これにより、使用者は電池パック１５を必要以上に消耗させることなく、電池パック１５の充電時期とブラシの交換時期を事前に知ることができるため、より円滑な作業が可能になると共に電池パック１５の消耗による作業時間の短縮化を抑えることが可能となる。また、液晶表示器の他にスイッチを設ける必要がないため、製造コストを抑えることが可能となる。
【００２３】
図１１には本発明と比較される参考例に係るコードレスハンマドリル１９を後方から見た斜視図で示す。図１１において、コードレスハンマドリル１９の表示部１７（斜線で示す）は連結部１６のハンドル４と対向する面に設けられているため、胴体部３とハンドル４によって相手材との接触から保護される態様が構成されている。また、表示部１７は連結部１６の表面からわずかに凹んだ位置に配置されているため、相手材が連結部１６のハンドル４と対向する面に接触した場合でも、相手材が直接表示部１７に接触し、破損する危険が少ない。
更に、駆動部を収納しない連結部１６は内部に比較的余裕があるため、ハウジング２を拡張することなく、表示部１７を収納することができる。
【００２４】
図１２には図１１に示したコードレスハンマドリル１９の表示部１７の例を示す。図１２において、表示部１７は、２個のスイッチ１７ｂ，１７ｊと１個の液晶表示器１７ｅを有する。パネルシート１７ａは、透明若しくは半透明のポリエステルフィルム等からなり、液晶表示器１７ｅの真上の部分を除き、表面若しくは裏面全体に印刷が施されている。また、電池パック１５に収納された電池セル（図示せず）を示すイラストが、スイッチ１７ｂの左側に印刷されている。また、胴体部３に収納された打撃機構（図示せず）による打撃力を示すイラストが、スイッチ１７ｊの左側に印刷されている。図７の例と同様に、液晶表示器１７ｅは通常は通電されず、スイッチ１７ｂを押したときのみ電池パック１５から通電されて電池パック１５の残存容量を表示する。また、液晶表示器１７ｅは打撃力を示す図を表示し、打撃力の強さを図の縦棒の数によって表す。更に、スイッチ１７ｊにより、打撃力の強さが切り替えられる。液晶表示器１７ｅは通常は通電されず、スイッチ１７ｊを押したときのみ電池パック１５から通電されて打撃力の強さを表示する。スイッチ１７ｊを押したとき、図の縦棒が全て表示されていれば、打撃力が最も強い状態を示す。そして、前記の表示状態からスイッチ１７ｊを１回押す毎に、図の縦棒が右から順に消えていき、それと共に打撃力が徐々に弱くなっていく。そして、図の縦棒が左端だけ表示されたとき、打撃力は最も弱くなる。更に、前記の表示状態からスイッチ１７ｊを１回押すと、再び図の縦棒は全て表示され、打撃力が最も強くなる。また、液晶表示器１７ｅには、電池パック１５の残存容量やコードレスハンマドリル１９の打撃力等を文字又は数字で表示しても良い。これにより、使用者は電池パック１５を必要以上に消耗させることなく、電池パック１５の充電時期を事前に知ることができる。従って、より円滑な作業が可能になると共に電池パック１５の消耗による作業時間の短縮化を抑えることが可能となる。また、１個の液晶表示器に複数種類の電気状態又は駆動情報を表示することができ、更に表示部１７の他に打撃力切替スイッチを設ける必要がないため、ハウジング２の大形化を抑え且つ製造コストを抑えることが可能となる。
また、表示部１７には、図５〜図１０に示す構成が適用可能であり、コードレス丸のこ１に適用した場合と同等の効果が得られる。
【００２５】
図１３には本発明と比較される参考例に係るコードレスジグソー２０を前方から見た斜視図で示す。図１３において、コードレスジグソー２０の表示部１７（斜線で示す）は胴体部３のハンドル４と対向する面に設けられているため、ハンドル４と連結部１６によって相手材との接触から保護される態様が構成されている。また、表示部１７は胴体部３の表面からわずかに凹んだ位置に配置されているため、相手材が胴体部３のハンドル４と対向する面に接触した場合でも、相手材が直接表示部１７に接触し、破損する危険が少ない。また、表示部１７には、図５〜図１０に示す構成が適用可能であり、コードレス丸のこ１に適用した場合と同等の効果が得られる。
【００２６】
本発明は、前記の実施形態以外にも、スクリュードライバ、カッタ、レシプロソー、サンダー、かんな、植木バリカンといった電動工具や、釘打機、ねじ打機といった空気工具に実施可能である。
また、電池パックを電源としないコード付タイプの携帯用工具にも実施可能である。
【図面の簡単な説明】
【００２７】
【図１】本実施の形態に係るコードレス丸のこを示す斜視図。
【図２】本実施の形態に係るコードレス丸のこを示す左側面図。
【図３】本実施の形態に係るコードレス丸のこを示す正面部分断面図。
【図４】図１の表示部を示す前後方向の垂直断面図。
【図５】図２のＡから見た表示部を示す図。
【図６】図５の別の実施例を示す図。
【図７】図５の別の実施例を示す図。
【図８】図７の別の表示を示す図。
【図９】図５の別の実施例を示す図。
【図１０】図９の別の表示を示す図。
【図１１】参考例に係るコードレスハンマドリルの外観構成を示す斜視図。
【図１２】参考例に係るコードレスハンマドリルの表示部を示す図。
【図１３】参考例に係るコードレスジグソーの外観構成を示す斜視図。
【符号の説明】
【００２８】
１  コードレス丸のこ
２  ハウジング
３  胴体部
４  ハンドル
５  ギヤカバ
６  ソーカバ
７  セーフティカバ
８  ベース
９  モータ
１０  ギヤ
１１  出力軸
１２  のこ刃
１３  スイッチ
１４  電池パック接続部
１５  電池パック
１６  連結部
１７  表示部
１７ａ  パネルシート
１７ｂ  電池パック残存容量表示用スイッチ
１７ｃ  ブラシ寿命表示用スイッチ
１７ｄ  ＬＥＤ
１７ｆ  ホルダ
１７ｇ  凸部
１７ｈ  基盤
１７ｉ  ケーブル
１７ｊ  打撃力表示・切替用スイッチ
１８  溝
１９  コードレスハンマドリル
２０  コードレスジグソー
【図１】
0004922031.tif 000002
【図２】
0004922031.tif 000003
【図３】
0004922031.tif 000004
【図４】
0004922031.tif 000005
【図５】
0004922031.tif 000006
【図６】
0004922031.tif 000007
【図７】
0004922031.tif 000008
【図８】
0004922031.tif 000009
【図９】
0004922031.tif 000010
【図１０】
0004922031.tif 000011
【図１１】
0004922031.tif 000012
【図１２】
0004922031.tif 000013
【図１３】
0004922031.tif 000014